(57)【要約】【課題】  鍵の登録・認証時に鍵の組み合わせを容易に認識でき、該登録された複数の鍵を用いて錠の操作を行うことができる錠制御システム、鍵装置、及び錠制御装置を提供する。【解決手段】  鍵部１０３は、通信部２０１により、記憶されている鍵ＩＤ及びグループＩＤを錠制御部１０２に送信する。錠制御部１０２の通信部１０４は、鍵部１０３から鍵ＩＤ及びグループＩＤを受信すると、認証部１０５へ送信する。認証部１０５は、受信した鍵ＩＤ及びグループＩＤの組み合わせと、鍵ＩＤ及びグループＩＤデータベース部１０６に記憶されている鍵ＩＤ及びグループＩＤの組み合わせとを比較し、認証を行う。認証部１０５は、同じグループＩＤを持つ鍵部１０３のうち、予め定めておいた閾値以上の割合の鍵部１０３が揃えば認証成功と判断する。錠制御部１０８は、認証に成功したときは、錠部１０１の状態を施錠状態から開錠状態へ、又は開錠状態から施錠状態へ変化させる。【選択図】        図１
2005299261.tif 000002
【特許請求の範囲】
【請求項１】
鍵装置と、錠部と、錠制御装置とを含む錠制御システムであって、
前記鍵装置は、
少なくとも自装置固有の鍵固有情報を記憶した第１記憶手段と、
他装置との通信が可能であって、前記錠部の状態を変化させるときに、前記第１記憶手段に自装置が属するグループ固有のグループ固有情報が記憶されていれば、前記第１記憶手段に記憶された鍵固有情報及びグループ固有情報を前記錠制御装置に送信する通信手段と、
を含み、
前記錠制御装置は、
情報を記憶する第２記憶手段と、
鍵装置から送信された鍵固有情報及びグループ固有情報を受信する受信手段と、
前記第２記憶手段に鍵固有情報及びグループ固有情報の組合せが記憶されていれば、前記受信手段により受信された鍵固有情報及びグループ固有情報の組み合わせと、前記第２記憶手段に記憶された鍵固有情報及びグループ固有情報の組み合わせとを比較して認証する認証手段と、
前記認証手段により認証されたときに、前記錠部の状態を変化させるように操作する錠操作手段と、
を含む錠制御システム。
【請求項２】
前記通信手段は、前記第２記憶手段に情報を登録するときに、前記第１記憶手段にグループ固有情報が記憶されていれば、前記第１記憶手段に記憶された鍵固有情報及びグループ固有情報を登録情報として前記錠制御装置に送信し、
前記錠制御装置は、前記受信手段により登録情報としての鍵固有情報及びグループ固有情報が受信されたときに、該受信された鍵固有情報及びグループ固有情報を組み合わせて前記第２記憶手段に登録する登録手段を更に含む請求項１記載の錠制御システム。
【請求項３】
前記通信手段は、自装置の前記第１記憶手段にグループ固有情報が記憶されていなければ、他の鍵装置にグループ固有情報の送信を要求する請求項１または請求項２記載の錠制御システム。
【請求項４】
前記鍵装置は、前記通信手段により他の鍵装置からグループ固有情報の送信要求が受信された場合に、自装置の前記第１記憶手段にグループ固有情報が記憶されていれば、該他の鍵装置に対してグループ固有情報を送信するか否かを判断する判断手段を更に含み、
前記通信手段は、前記判断手段によりグループ固有情報を送信すると判断された場合に、前記他の鍵装置に自装置の前記第１記憶手段に記憶されたグループ固有情報を送信する請求項１乃至請求項３のいずれか１項記載の錠制御システム。
【請求項５】
前記判断手段は、前記他の鍵装置からグループ固有情報の送信要求が受信されてから所定時間経過した場合、該送信要求の受信回数が所定回数に到達した場合、該他の鍵装置との距離が所定値以下の場合、の少なくとも１つの場合に、前記他の鍵装置に自装置の前記第１記憶手段に記憶されたグループ固有情報を送信すると判断する請求項４記載の錠制御システム。
【請求項６】
前記鍵装置は、自装置と通信可能な領域に、自装置の前記第１記憶手段に記憶されたグループ固有情報と同一のグループ固有情報を記憶した他の鍵装置が存在するか否かを判断するグループ固有情報判断手段と、
前記グループ固有情報判断手段により同一のグループ固有情報を記憶した他の鍵装置が存在しないと判断された場合に、自装置の前記第１記憶手段に記憶されたグループ固有情報を変更または消去する処理手段と、
を更に含む請求項１乃至請求項５のいずれか１項記載の錠制御システム。
【請求項７】
前記鍵装置は、外部から操作可能に設けられ、操作されることにより前記第１記憶手段に記憶されたグループ固有情報を消去する消去手段を更に含む請求項１乃至請求項６のいずれか１項記載の錠制御システム。
【請求項８】
錠部の状態を変化させるために用いられる鍵装置であって、
少なくとも自装置固有の鍵固有情報を記憶した記憶手段と、
他装置との通信が可能であって、前記錠部の状態を変化させるときに、前記記憶手段に自装置が属するグループ固有のグループ固有情報が記憶されていれば、前記記憶手段に記憶された鍵固有情報及びグループ固有情報を前記錠制御装置に送信する通信手段と、
を含む鍵装置。
【請求項９】
自装置の前記記憶手段にグループ固有情報が記憶されていなければ、前記通信手段は、他の鍵装置にグループ固有情報の送信を要求する請求項８記載の鍵装置。
【請求項１０】
前記通信手段により他の鍵装置からグループ固有情報の送信要求が受信された場合に、自装置の前記記憶手段にグループ固有情報が記憶されていれば、該他の鍵装置に対してグループ固有情報を送信するか否かを判断する判断手段を更に含み、
前記通信手段は、前記判断手段によりグループ固有情報を送信すると判断された場合に、前記他の鍵装置に自装置の前記記憶手段に記憶されたグループ固有情報を送信する請求項８または請求項９記載の鍵装置。
【請求項１１】
前記判断手段は、前記他の鍵装置からグループ固有情報の送信要求が受信されてから所定時間経過した場合、該送信要求の受信回数が所定回数に到達した場合、該他の鍵装置との距離が所定値以下の場合、の少なくとも１つの場合に、前記他の鍵装置に自装置の前記記憶手段に記憶されたグループ固有情報を送信すると判断する請求項１０記載の鍵装置。
【請求項１２】
自装置と通信可能な領域に、自装置の前記記憶手段に記憶されたグループ固有情報と同一のグループ固有情報を記憶した他の鍵装置が存在するか否かを判断するグループ固有情報判断手段と、
前記グループ固有情報判断手段により同一のグループ固有情報を記憶した他の鍵装置が存在しないと判断された場合に、自装置の前記記憶手段に記憶されたグループ固有情報を変更または消去する処理手段と、
を更に含む請求項８乃至請求項１１のいずれか１項記載の鍵装置。
【請求項１３】
外部から操作可能に設けられ、操作されることにより前記記憶手段に記憶されたグループ固有情報を消去する消去手段を更に含む請求項８乃至請求項１２のいずれか１項記載の鍵装置。
【請求項１４】
情報を記憶する記憶手段と、
鍵装置から送信された鍵固有情報及びグループ固有情報を受信する受信手段と、
前記記憶手段に鍵固有情報及びグループ固有情報の組合せが記憶されていれば、前記受信手段により受信された鍵固有情報及びグループ固有情報の組み合わせと、前記記憶手段に記憶された鍵固有情報及びグループ固有情報の組み合わせとを比較して認証する認証手段と、
前記認証手段により認証されたときに、錠部の状態を変化させるように操作する錠操作手段と、
を含む錠制御装置。
【発明の詳細な説明】
【技術分野】
【０００１】
本発明は、錠制御システム、鍵装置、及び錠制御装置に関し、特に、複数の鍵装置を用いて錠装置を制御する錠制御システム、鍵装置、及び錠制御装置に関するものである。
【背景技術】
【０００２】
従来の扉の施錠、解錠は、扉に設けられ扉の施錠及び解錠を行う錠部、及び錠部を操作する鍵を用いて行われるのが一般的であった。具体的には、鍵を錠部の鍵穴へ挿入し、押したり回したりする動作により行われていた。
【０００３】
しかしながら、鍵を鍵穴へ挿入したり、鍵を押したり回したりする動作を行うことは、視力の弱い人や腕の機能が低下している人にとっては難しいという問題があった。特に、高齢者には、若者に比べて視力や腕の機能が低下している人が多いので、上記の問題は、特に高齢者にとって、解決しなければならない問題であった。
【０００４】
この問題を解決するシステムとしては、扉に設けられ、施錠・解錠状態となる錠部と、所定の電波信号を発信し、施錠・解錠状態を切換える鍵手段と、扉付近に設けられ、鍵手段からの信号を受信し、錠部を制御して施錠・解錠動作させる認識制御部とからなる住居出入口用錠操作システムが知られている（例えば、特許文献１参照。）。
【０００５】
このシステムでは、ユーザが鍵手段のスイッチを押すと、鍵手段から鍵手段固有の信号が認識制御部に発信される。認識制御部は、鍵手段からの電波信号を受信すると、受信信号が予め登録されているものであるかどうかを判定し、登録されている信号である場合には、錠部の状態を、施錠状態から解錠状態へ、又は、解錠状態から施錠状態へ変化させる。
【０００６】
従って、ユーザは従来の鍵を用いることなく、楽にドアの施錠、解錠を行うことができる。さらに、離れた所から鍵手段のスイッチを押すことにより、同じ形の複数の扉の中から鍵手段に対応した扉を容易に見つけることができる。
【０００７】
さらに、このようなシステムを応用したシステムとして、錠の操作に複数の鍵を利用するシステムが考えられる。例えば、無線通信機能を有し、かつ各々鍵固有データを有する無線鍵を複数用意し、すべての鍵（鍵固有データ）が揃った、もしくは過半数の鍵が揃った場合のみ、認証成功とされて錠の操作が可能となるシステムが考えられる。これにより、鍵を落とした場合でも、落とした鍵数が過半数以下であるならば、残りの鍵を用いて錠を操作できる。
【特許文献１】特開２００１−１３２２９３号公報
【発明の開示】
【発明が解決しようとする課題】
【０００８】
上記のようなシステムを構築するためには、複数の無線鍵の組み合わせを、錠を制御する制御部（錠制御部）へ予め登録しておかなければならない。複数の無線鍵の組み合わせを錠制御部へ登録する方法は、人手による手入力などいくつかの方法が考えられるが、ユーザが複数の無線鍵を持って無線鍵の組み合わせを登録する場所（鍵登録部）の前に立つだけで、無線鍵の組み合わせが錠制御部に自動的に登録される方法は、特に利便性が高い。
【０００９】
しかしながら、複数の鍵を利用するシステムにおいて、錠制御部へ自動的に無線鍵の組み合わせを登録するシステムを構築する場合には、以下のような問題が発生する。
【００１０】
例えば、複数の鍵を利用するシステムの鍵を所持しているＡ、Ｂ、Ｃの３人が同時に鍵登録部付近に立った場合、各人の無線鍵の鍵固有データを個別に登録したい場合でも、システムはＡ、Ｂ、Ｃの３人の鍵固有データを１つの組み合わせとして登録してしまう。
【００１１】
この場合、Ａ、Ｂ、Ｃの３人の鍵の過半数が揃わないと錠の操作ができない状態になってしまうため、Ａのみが鍵を所持して錠制御部が設置された扉の前に立っても扉を開けることができない、という問題が発生する。
【００１２】
また、錠制御部が認証作業を行う時に扉の前に鍵を持つ複数の人間が立った場合でも、正しく認証作業を行うことができず、上記と同様の問題が発生する。
【００１３】
本発明は、上述した課題を解決するために提案されたものであり、鍵の登録・認証時に鍵の組み合わせを容易に認識でき、該登録された複数の鍵を用いて錠の操作を行うことができる錠制御システム、鍵装置、及び錠制御装置を提供することを目的としている。
【課題を解決するための手段】
【００１４】
上記目的を達成するために、本発明に係る錠制御システムは、鍵装置と、錠部と、錠制御装置とを含む錠制御システムであって、前記鍵装置は、少なくとも自装置固有の鍵固有情報を記憶した第１記憶手段と、他装置との通信が可能であって、前記錠部の状態を変化させるときに、前記第１記憶手段に自装置が属するグループ固有のグループ固有情報が記憶されていれば、前記第１記憶手段に記憶された鍵固有情報及びグループ固有情報を前記錠制御装置に送信する通信手段と、を含み、前記錠制御装置は、情報を記憶する第２記憶手段と、鍵装置から送信された鍵固有情報及びグループ固有情報を受信する受信手段と、前記第２記憶手段に鍵固有情報及びグループ固有情報の組合せが記憶されていれば、前記受信手段により受信された鍵固有情報及びグループ固有情報の組み合わせと、前記第２記憶手段に記憶された鍵固有情報及びグループ固有情報の組み合わせとを比較して認証する認証手段と、前記認証手段により認証されたときに、前記錠部の状態を変化させるように操作する錠操作手段と、を含んで構成されている。
【００１５】
この錠制御システムは、鍵装置と、錠部と、錠制御装置とを含んで構成されている。鍵装置は、１つに限らず、２つ以上であってもよい。
【００１６】
鍵装置の第１記憶手段は、少なくとも自装置固有の鍵固有情報を記憶する。この第１記憶手段には、更に自装置が属するグループ固有のグループ固有情報を記憶することが可能であり、このグループ固有情報は、ユーザの手入力により記憶されてもよいし、後述するように他の鍵装置から受信されたものを記憶するようにしてもよい。
【００１７】
第１記憶手段は、鍵固有情報を記憶した記憶媒体と、グループ固有情報を記憶するための記憶媒体の２つの記憶媒体から構成されていてもよいし、単一の記憶媒体を記憶領域を２つの領域に分けて、一方に鍵固有情報を記憶しておき、他方にグループ固有情報を記憶するようにしてもよい。
【００１８】
また、錠制御装置の第２記憶手段は、情報を記憶する。第２記憶手段に記憶される情報は、鍵固有情報及びグループ固有情報の組み合わせとすることができる。この組み合わせの登録（記憶）は、後述するように鍵装置から登録情報として受信したものを登録することもできるし、手入力により登録することもできる。
【００１９】
鍵装置の通信手段は、錠部の状態を変化させるときに、第１記憶手段に自装置が属するグループ固有のグループ固有情報が記憶されていれば、第１記憶手段に記憶された鍵固有情報及びグループ固有情報を錠制御装置に送信する。鍵装置から鍵固有情報及びグループ固有情報をを受信した錠制御装置は、第２記憶手段に鍵固有情報及びグループ固有情報の組合せが記憶されていれば、受信された鍵固有情報及びグループ固有情報の組み合わせと、第２記憶手段に記憶された鍵固有情報及びグループ固有情報の組み合わせとを比較して認証を行う。認証成功のときには、錠部の状態を変化させるように操作する。すなわち、施錠状態から開錠状態に、又は開錠状態から施錠状態に操作する。
【００２０】
このように、鍵装置固有の鍵固有情報をグループ固有情報によってグループ化することにより、認証時に容易に鍵装置の組み合わせを認識でき、それにより正しく認証して錠部の状態を操作することができる。
【００２１】
上記錠制御システムにおいて、前記通信手段は、前記第２記憶手段に情報を登録するときに、前記第１記憶手段にグループ固有情報が記憶されていれば、前記第１記憶手段に記憶された鍵固有情報及びグループ固有情報を登録情報として前記錠制御装置に送信し、前記錠制御装置は、前記受信手段により登録情報としての鍵固有情報及びグループ固有情報が受信されたときに、該受信された鍵固有情報及びグループ固有情報を組み合わせて前記第２記憶手段に登録する登録手段をを更に含んで構成することもできる。
【００２２】
このように、錠制御装置に登録情報として鍵装置から送信された鍵固有情報及びグループ固有情報を錠制御装置の第２記憶手段に記憶することにより、登録時に容易に鍵装置の組み合わせを認識でき、自動的に鍵装置をグループ化して登録することができる。
【００２３】
上記錠制御システムにおいて、前記通信手段は、自装置の前記第１記憶手段にグループ固有情報が記憶されていなければ、他の鍵装置にグループ固有情報の送信を要求することもできる。
【００２４】
更に、前記鍵装置は、前記通信手段により他の鍵装置からグループ固有情報の送信要求が受信された場合に、自装置の前記第１記憶手段にグループ固有情報が記憶されていれば、該他の鍵装置に対してグループ固有情報を送信するか否かを判断する判断手段を更に含み、前記通信手段は、前記判断手段によりグループ固有情報を送信すると判断された場合に、前記他の鍵装置に自装置の前記第１記憶手段に記憶されたグループ固有情報を送信することもできる。
【００２５】
なお、前記判断手段は、前記他の鍵装置からグループ固有情報の送信要求が受信されてから所定時間経過した場合、該送信要求の受信回数が所定回数に到達した場合、該他の鍵装置との距離が所定値以下の場合、の少なくとも１つの場合に、前記他の鍵装置に自装置の前記第１記憶手段に記憶されたグループ固有情報を送信すると判断するようにしてもよい。
【００２６】
すなわち、鍵装置は、自装置にグループ固有情報が記憶されていない場合には、他の鍵装置にグループ固有情報を送信するようにグループ固有情報の送信要求を送信することができ、また、該送信要求を受信した他の鍵装置は、自装置に記憶されたグループ固有情報を送信することができる。
【００２７】
これにより、鍵装置に自動的にグループ固有情報を付与することができ、ユーザの手をわずらわせることがなくなる。
【００２８】
上記錠制御システムにおいて、前記鍵装置は、自装置と通信可能な領域に、自装置の前記第１記憶手段に記憶されたグループ固有情報と同一のグループ固有情報を記憶した他の鍵装置が存在するか否かを判断するグループ固有情報判断手段と、前記グループ固有情報判断手段により同一のグループ固有情報を記憶した他の鍵装置が存在しないと判断された場合に、自装置の前記第１記憶手段に記憶されたグループ固有情報を変更または消去する処理手段と、を更に含んで構成することもできる。
【００２９】
すなわち、鍵装置は、周囲に自装置と同一のグループ固有情報を記憶する鍵装置が存在するか否かを判断し、存在しないと判断した場合には、自装置に記憶されたグループ固有情報を変更または消去することができる。このような構成によれば、鍵装置を落とした場合であっても、グループ固有情報が変更または消去されることによって該鍵装置を認証作業に使用することができなくなり、落とした鍵装置が不正に用いられることを防止することができる。
【００３０】
上記錠制御システムにおいて、前記鍵装置は、外部から操作可能に設けられ、操作されることにより前記第１記憶手段に記憶されたグループ固有情報を消去する消去手段を更に含むことができる。
【００３１】
このような構成により、ユーザは、自由に外部から消去手段を操作して鍵装置のグループ固有情報を消去し、新たに鍵装置にグループ固有情報を付与することができる。
【００３２】
また、本発明に係る鍵装置は、錠部の状態を変化させるために用いられる鍵装置であって、少なくとも自装置固有の鍵固有情報を記憶した記憶手段と、他装置との通信が可能であって、前記錠部の状態を変化させるときに、前記記憶手段に自装置が属するグループ固有のグループ固有情報が記憶されていれば、前記記憶手段に記憶された鍵固有情報及びグループ固有情報を前記錠制御装置に送信する通信手段と、を含んで構成されている。
【００３３】
上記鍵装置は、自装置の前記記憶手段にグループ固有情報が記憶されていなければ、前記通信手段は、他の鍵装置にグループ固有情報の送信を要求することもできる。
【００３４】
上記鍵装置は、前記通信手段により他の鍵装置からグループ固有情報の送信要求が受信された場合に、自装置の前記記憶手段にグループ固有情報が記憶されていれば、該他の鍵装置に対してグループ固有情報を送信するか否かを判断する判断手段を更に含み、前記通信手段は、前記判断手段によりグループ固有情報を送信すると判断された場合に、前記他の鍵装置に自装置の前記記憶手段に記憶されたグループ固有情報を送信することもできる。
【００３５】
前記判断手段は、前記他の鍵装置からグループ固有情報の送信要求が受信されてから所定時間経過した場合、該送信要求の受信回数が所定回数に到達した場合、または該他の鍵装置との距離が所定値以下の場合に、前記他の鍵装置に自装置の前記記憶手段に記憶されたグループ固有情報を送信すると判断することもできる。
【００３６】
上記鍵装置は、自装置と通信可能な領域に、自装置の前記記憶手段に記憶されたグループ固有情報と同一のグループ固有情報を記憶した他の鍵装置が存在するか否かを判断するグループ固有情報判断手段と、前記グループ固有情報判断手段により同一のグループ固有情報を記憶した他の鍵装置が存在しないと判断された場合に、自装置の前記記憶手段に記憶されたグループ固有情報を変更または消去する処理手段と、を更に含んで構成することもできる。
【００３７】
上記鍵装置は、外部から操作可能に設けられ、操作されることにより前記記憶手段に記憶されたグループ固有情報を消去する消去手段を更に含んで構成することもできる。
【００３８】
本発明に係る錠制御装置は、情報を記憶する記憶手段と、鍵装置から送信された鍵固有情報及びグループ固有情報を受信する受信手段と、前記記憶手段に鍵固有情報及びグループ固有情報の組合せが記憶されていれば、前記受信手段により受信された鍵固有情報及びグループ固有情報の組み合わせと、前記記憶手段に記憶された鍵固有情報及びグループ固有情報の組み合わせとを比較して認証する認証手段と、前記認証手段により認証されたときに、錠部の状態を変化させるように操作する錠操作手段と、を含んで構成されている。
【発明の効果】
【００３９】
以上説明したように本発明によれば、鍵装置固有の鍵固有情報をグループ固有情報によってグループ化することにより、認証時や登録時に容易に鍵装置の組み合わせを認識でき、それにより正しく認証して錠部の状態を操作することができる、という効果を奏する。
【発明を実施するための最良の形態】
【００４０】
以下、本発明の好ましい実施の形態について図面を参照しながら詳細に説明する。
【００４１】
［第１の実施の形態］
図１は、本実施の形態に係る錠制御システムの構成を示すブロック図である。
【００４２】
この錠制御システムは、戸や扉等に設けられる一般的な錠としての機能を有する錠部１０１と、戸や扉付近に設けられ、錠部を制御する錠制御部１０２と、ユーザにより携帯される無線機能付きの複数の鍵部１０３ａ、１０３ｂ、１０３ｃ、１０３ｄ、１０３ｅと、を備えている。なお、以下では、各鍵部を特に区別しないで説明する場合は、符号末尾の添字を省略し、鍵部１０３と称する。
【００４３】
錠部１０１は、錠制御部１０２内の後述する錠操作部１０８に接続されている。錠部１０１は、錠操作部１０８からの制御により、旋錠状態と開錠状態の２つの状態に変化する。なお、錠部１０１は、一般的な錠と同様に、手動による施錠、開錠も可能なように構成されている。
【００４４】
次に、鍵部１０３の詳細な構成を、図２を用いて説明する。
【００４５】
鍵部１０３は、他の鍵部１０３や錠制御部１０２と通信を行う通信部２０１と、鍵ＩＤを記憶する鍵ＩＤ記憶部２０２と、グループＩＤを記憶するグループＩＤ記憶部２０３と、を備えている。
【００４６】
ここで、鍵ＩＤ及びグループＩＤについて説明する。鍵ＩＤは、鍵部１０３の固有のＩＤであり、各鍵部１０３毎に異なる鍵ＩＤが各鍵ＩＤ記憶部２０２に記憶されている。図１に示されるように、本実施の形態では、鍵部１０３ａの鍵ＩＤは、“１０１２３５”、鍵部１０３ｂの鍵ＩＤは“２３４２１３”、鍵部１０３ｃの鍵ＩＤは“１４２３２６”、鍵部１０３ｄの鍵ＩＤは“９９２１２”、鍵部１０３ｅの鍵ＩＤは“９７７３”である。
【００４７】
また、グループＩＤは、鍵部１０３が属するグループ固有のＩＤであり、錠部１０１を操作する際に組み合わせて用いられる複数の鍵部１０３に共通のグループＩＤが、各鍵部１０３の各グループＩＤ記憶部２０３に記憶されている。本実施の形態では、鍵部１０３ａ、１０３ｂ、１０３ｃのグループＩＤは、“１２３”であり、鍵部１０３ｄ、１０３ｅのグループＩＤは“２５”である。従って、同一のグループＩＤ“１２３”を記憶する鍵部１０３ａ、１０３ｂ、１０３ｃの３つが同一のグループに属する鍵部として組み合わせて用いられ、同一のグループＩＤ“２５”を記憶する鍵部１０３ｄ、１０３ｅの２つが同一のグループに属する鍵部として組み合わせて用いられる。
【００４８】
鍵ＩＤ記憶部２０２は、通信部２０１と接続されており、鍵装置１０３固有の鍵ＩＤを記憶する。
【００４９】
グループＩＤ記憶部２０３は、通信部２０１と接続されており、鍵装置１０３が属するグループ固有のグループＩＤを記憶する。
【００５０】
鍵部１０３内の通信部２０１は、鍵ＩＤ記憶部２０２とグループＩＤ記憶部２０３とに接続されている。通信部２０１は、認証時、登録時など必要に応じて、錠制御部１０２内の後述する通信部１０４と鍵ＩＤ及びグループＩＤ登録部１０７に、鍵ＩＤ記憶部２０２に記憶された鍵ＩＤとグループＩＤ記憶部２０３に記憶されたグループＩＤを送信する。また、他の鍵部１０３からグループＩＤやグループＩＤ送信要求信号を受信する。
【００５１】
次に、錠制御部１０２の詳細な構成を説明する。図１に示されるように、錠制御部１０２は、鍵部１０３ａ〜１０３ｅと通信を行う通信部１０４と、鍵ＩＤ及びグループＩＤデータベース部１０６の情報から認証作業を行う認証部１０５と、鍵ＩＤ及びグループＩＤを組み合わせて記憶する鍵ＩＤ及びグループＩＤデータベース部１０６と、鍵ＩＤとグループＩＤを登録する鍵ＩＤ及びグループＩＤ登録部１０７と、錠部１０１を制御する錠操作部１０８と、を備えている。
【００５２】
錠制御部１０２内の通信部１０４は、認証部１０５及び鍵ＩＤ及びグループＩＤ登録部１０７に接続されている。通信部１０４は、鍵部１０３から鍵ＩＤ及びグループＩＤを受信して、認証部１０５に送信する。また、通信により鍵ＩＤ及びグループＩＤを自動登録する場合には、登録情報として鍵部１０３から送信された鍵ＩＤ及びグループＩＤを受信して、鍵ＩＤ及びグループＩＤ登録部１０７に送信する。
【００５３】
認証部１０５は、通信部１０４、鍵ＩＤ及びグループＩＤデータベース部１０６、及び錠操作部１０８にそれぞれ接続されている。認証部１０５は、通信部１０４から受信した鍵ＩＤとグループＩＤの組み合わせと、鍵ＩＤ及びグループＩＤデータベース部１０６内のデータを参照して認証作業を行い、認証結果を錠操作部１０８へ送信する。
【００５４】
鍵ＩＤ及びグループＩＤデータベース部１０６は、認証部１０５と、鍵ＩＤ及びグループＩＤ登録部１０７に接続されている。鍵ＩＤ及びグループＩＤデータベース部１０６は、鍵ＩＤ及びグループＩＤ登録部１０７から送信された鍵ＩＤ及びグループＩＤの組み合わせを記憶する。また、鍵ＩＤ及びグループＩＤデータベース部１０６は、認証部１０５が認証作業を行う際に、認証部１０５に対して、鍵ＩＤとグループＩＤの組み合わせを開示する。
【００５５】
鍵ＩＤ及びグループＩＤ登録部１０７は、鍵ＩＤ及びグループＩＤデータベース部１０６、通信部１０４にそれぞれ接続されている。鍵ＩＤ及びグループＩＤ登録部１０７は、各鍵部１０３の鍵ＩＤ及びグループＩＤがそれぞれ組み合わされて記憶されるようにして、各鍵ＩＤ及びグループＩＤデータベース部１０６に登録する。なお、鍵ＩＤやグループＩＤを登録する手段は、テンキーによる手入力であってもよいし、通信による自動登録であってもよい。通信による自動登録により鍵ＩＤを登録する場合には、上述したように、通信部１０４を介して鍵部１０３から登録情報として送信された鍵ＩＤ及びグループＩＤを受信し、該受信した鍵ＩＤ及びグループＩＤを登録する。
【００５６】
錠操作部１０８は、認証部１０５と錠部１０１にそれぞれ接続されている。錠操作部１０８は、認証部１０５が認証成功したときに、錠部１０１の状態を旋錠状態から開錠状態へ、または開錠状態から旋錠状態へ変化させる。
【００５７】
以下、この錠制御システムによって、鍵ＩＤ及びグループＩＤを登録する場合の各構成要素の動作を説明する。
【００５８】
鍵部１０３ａ〜１０３ｃの３つの鍵部が第１ユーザが所有する鍵部であり、鍵部１０３ｄ〜１０３ｅが第２ユーザが所有する鍵部であるとする。図１に示されているように、第１ユーザが所有する鍵部１０３ａの鍵ＩＤは“１０１２３５”、グループＩＤは“１２３”であり、鍵部１０３ｂの鍵ＩＤは“２３４２１３”、グループＩＤは“１２３”であり、鍵部１０３ｃの鍵ＩＤは“１４２３２６”、グループＩＤは“１２３”である。第２ユーザが所有する鍵部１０３ｄの鍵ＩＤは“９９２１２”、グループＩＤは“２５”であり、鍵部１０３ｅの鍵ＩＤは“９７７３”、グループＩＤは“２５”である。
【００５９】
鍵ＩＤは、各鍵部１０３の出荷時に予め鍵ＩＤ記憶部２０２に記憶されている。また、同一人物が所有する鍵部１０３は、同一グループに属するように同一のグループＩＤがグループＩＤ記憶部２０３に記憶されている。
【００６０】
鍵部１０３のグループＩＤは、人手によりグループＩＤ記憶部２０３に直接入力してもよいし、特定の鍵部１０３に、他の鍵部１０３へグループＩＤを付与できる機能を設け、該特定の鍵部１０３からグループＩＤを他の鍵部１０３に付与するようにしてもよい。後者の場合には、まず、該特定の鍵部１０３からグループＩＤが未入力状態の鍵部１０３に対して、通信部２０１によりグループＩＤを送信する。送信されるグループＩＤは、特定の鍵部１０３に予め人手によって入力され記憶されているグループＩＤであってもよいし、特定の鍵部１０３にグループＩＤを生成する機能を設け、該機能により生成されたグループＩＤを送信するようにしてもよい。特定の鍵部１０３から送信されたグループＩＤは、グループＩＤが未入力状態の鍵部１０３の通信部２０１により受信され、該受信されたグループＩＤはグループＩＤ記憶部２０３に記憶される。なお、グループＩＤの付与に関する例は、第２の実施の形態で詳細に説明する。
【００６１】
このように記憶された鍵ＩＤ及びグループＩＤは、手入力や通信による自動登録などによって、錠制御部１０２に入力され登録されるが、ここでは、通信による自動登録を例に挙げて説明する。
【００６２】
例えば、各鍵部１０３の図示しない登録スイッチ等を第１ユーザ及び第２ユーザが押下する等により、各鍵部１０３から各鍵部１０３に記憶された鍵ＩＤ及びグループＩＤが登録情報として錠制御部１０２に送信されると、錠制御部１０２では、該送信された鍵ＩＤ及びグループＩＤが通信部１０４により受信される。該受信された鍵ＩＤ及びグループＩＤは鍵ＩＤ及びグループＩＤ登録部１０７に伝送され、鍵ＩＤ及びグループＩＤデータベース部１０６に登録される。
【００６３】
図３は、第１ユーザ及び第２ユーザが所有する上記５つの鍵部１０３ａ〜１０３ｅが、鍵ＩＤ及びグループＩＤデータベース部１０６に登録された状態を示している。
【００６４】
図示されるように、同一グループに属する鍵ＩＤ“１０１２３５”、“２３４２１３”、“１４２３２６”、（鍵部１０３ａ、鍵部１０３ｂ、鍵部１０３ｃの鍵ＩＤ）が、該同一グループ固有のグループＩＤ“１２３”と組み合わされて記憶され、同一グループＩＤに属する鍵ＩＤ“９９２１２”、“９７７３”（鍵部１０３ｄ、鍵部１０３ｅの鍵ＩＤ）が、該同一グループ固有のグループＩＤ“２５”に属する鍵ＩＤとして組み合わされて記憶されている。
【００６５】
次に、錠部１０３を用いて錠部１０１の状態を変化させる動作について、第１ユーザが所有する鍵部１０３ａ、１０３ｂ、１０３ｃを例に挙げて説明する。
【００６６】
第１ユーザは、鍵部１０３ａ、１０３ｂ、１０３ｃのいずれか１つ以上を所持したままドアに近づく。鍵部１０３は、錠制御部１０２に近づいた（錠制御部１０２までの距離が所定値以内になった）ことを検知すると、内部に記憶されている鍵ＩＤ及びグループＩＤを同時に錠制御部１０２内の通信部１０４に送信する。鍵部１０３と錠制御部１０２が近づいたことを検知する方法は、特に限定されるものではない。例えば、人による入力であってもよい。また他には、鍵部１０３又は錠制御部１０２の両方又はどちらかが一定時間間隔で発見信号を発信し、互いの距離が所定値以内になったら応答しあうという方法でもよい。
【００６７】
また、ユーザは、ドアの近くで、登録しておいた複数の鍵部１０３の図示しないスイッチを同時、又は非常に短い期間内にＯＮにしてもよい。すると、鍵部１０３は、錠制御部１０２内の通信部１０４に向かって鍵ＩＤ及びグループＩＤを同時に送信する。
【００６８】
例えば、第１ユーザが鍵部１０３ａ、１０３ｂ、１０３ｃのうち、鍵部１０３ａ、１０２ｂのみを所持していた場合には、２つの鍵ＩＤ“１０１２３５”、“２３４２１３”と共に、グループＩＤ“１２３”が錠制御部１０２へ送信される。
【００６９】
通信部１０４は、受信した鍵ＩＤ及びグループＩＤを認証部１０５へ送信する。認証部１０５は、受信した鍵ＩＤ及びグループＩＤの組み合わせに基づいて、鍵ＩＤ及びグループＩＤデータベース部１０６の内容を参照して、認証を行う。具体的には、鍵ＩＤ及びグループＩＤデータベース部１０６から、グループＩＤ“１２３”と組み合わされて記憶されている鍵ＩＤ“１０１２３５”、“２３４２１３”、“１４２３２６”を読み出し、読み出した各鍵ＩＤと、受信した鍵ＩＤ（ここでは、“１０１２３５”、“２３４２１３”）とを比較して、認証を行う。認証部１０５は、同じグループＩＤを持つ鍵部１０３のうち、予め定めておいた閾値以上の割合の鍵部１０３が揃えば認証成功と判断する。例えば、閾値を５０％とすれば、本例の場合には、鍵部１０３ａ〜１０３ｃのうちのどれか２つの鍵部１０３を所持していれば認証成功と判断され、１つの鍵部１０３のみであれば認証失敗と判断される。
【００７０】
認証部１０５は、認証に成功したときは、その旨を錠操作部１０８に送信し、錠操作部１０８は錠部１０１を施錠又は開錠する。
【００７１】
以上説明したように、グループＩＤを用いて複数の鍵部１０３がグループ化されるようにしたため、複数のユーザが同時に鍵部１０３を登録したとしても、全てのユーザの鍵部１０３が１つの組み合わせとして登録されることが無くなり、それぞれの鍵部１０３が鍵部１０３を所有するユーザ毎（すなわち、グループ毎）に登録され、該登録された複数の鍵部１０３を用いて錠の操作を行うことができる。
【００７２】
従来のようにグループＩＤを用いない場合には、第１ユーザ及び第２ユーザが所持する鍵部１０３ａ〜１０３ｅの５つの全ての鍵ＩＤが１つの組み合わせとして登録されてしまう。この場合には、第２のユーザは、第２のユーザが所持する鍵部１０３ｄ、１０３ｅの２つの鍵部だけでは認証の閾値５０％に満たないので、錠を操作することができなくなってしまう。しかしながら、本実施の形態のように、グループＩＤを用いて登録及び認証を行うことによって、錠制御部は、正しく錠部の組み合わせを認識することができるため、従来のような問題は発生しなくなる。
【００７３】
また、登録時だけでなく、認証時にも、鍵ＩＤを正しい組み合わせで確認して認証することができるため、従来のような問題は発生しなくなる。
【００７４】
［第２の実施の形態］
本実施の形態では、グループＩＤを鍵部１０３に自動的に付与する場合の具体的な例について説明する。本実施の形態における錠制御システムの全体構成は、上述の第１の実施の形態において図１に示した構成と同一であるため説明を省略する。ただし、本システムを構成する鍵部１０３は、グループＩＤが記憶されていない鍵部１０３Ｘと、既にグループＩＤが記憶されている鍵部１０３Ｙの２つの鍵部１０３により構成される。
【００７５】
図４は、本実施の形態に係る錠部１０３の構成を示すブロック図である。
【００７６】
図示されるように、本実施の形態に係る錠部１０３には、第１の実施の形態で説明した通信部２０１、鍵ＩＤ記憶部２０２、及びグループＩＤ記憶部２０３に加えて、グループＩＤ管理部４０１が備えられている。
【００７７】
図５は、グループＩＤ管理部４０１の詳細な構成を示すブロック図である。グループＩＤ管理部４０１は、タイマ５０１と、グループＩＤを記憶していない他の鍵部１０３へグループＩＤを送信するか否かを判断するグループＩＤ送信判断部５０２と、自装置のグループＩＤ記憶部２０３にグループＩＤが記憶されているか否かを判定すると共に、記憶されていない場合にはグループＩＤ送信要求信号を通信部２０１を介して他の鍵部１０３に送信するグループＩＤ内容判定部５０３と、を備えている。
【００７８】
なお、グループＩＤ送信要求信号は、他の鍵装置１０３に対して自装置のグループＩＤ記憶部２０３にグループＩＤが記憶されていない旨を通知して、グループＩＤを自装置に送信するように要求するための信号である。
【００７９】
グループＩＤ管理部４０１内のタイマ５０１は、グループＩＤ送信判断部５０２に接続されている。タイマ５０１は、グループＩＤ送信判断部５０２によりセットされ、セットされたときから予め設定されている時間が経過したことをグループＩＤ送信判断部５０２に通知する。
【００８０】
グループＩＤ送信判断部５０２は、タイマ５０１と、通信部２０１と、グループＩＤ記憶部２０３とにそれぞれ接続されている。通信部２０１が受信した、他の鍵部１０３からのグループＩＤ送信要求信号をトリガとしてタイマ５０１をセットする。また、グループＩＤの送信タイミングをタイマ５０１からの通知により判断して、グループＩＤ記憶部２０３に記憶されている自装置が属するグループ固有のグループＩＤを、他のグループＩＤが記憶されていない鍵部１０３に対して送信する。
【００８１】
グループＩＤ内容判定部５０３は、通信部２０１と、グループＩＤ記憶部２０３とにぞれぞれ接続されている。グループＩＤ内容判定部５０３は、自装置のグループＩＤ記憶部２０３にグループＩＤが記憶されているか否かを判定すると共に、グループＩＤ記憶部２０３にグループＩＤが記憶されてない場合には、通信部２０１に対してグループＩＤ送信要求信号を他の鍵部１０３に送信するように指示する。
【００８２】
以上のように構成された、錠制御システムにおいて、各構成部は次のように動作する。ここでは、第１の実施の形態と異なる部分のみを説明する。
【００８３】
ユーザが、グループＩＤ記憶部２０３にグループＩＤを記憶していない鍵部１０３Ｘと、グループＩＤ記憶部２０３にグループＩＤを記憶している鍵部１０３Ｙとを所持する。ここで、鍵部１０３Ｘ内のグループＩＤ内容判定部５０３は、グループＩＤ記憶部２０３に記憶されている内容を読み出す。グループＩＤ内容判定部５０３は、グループＩＤ記憶部２０３からグループＩＤを読み出せなかった場合には、グループＩＤ記憶部２０３にグループＩＤが記憶されていない、即ち空の状態であると判定して、通信部２０１に対して、グループＩＤ送信要求信号を送信するように指示する。指示を受けた通信部２０１は、グループＩＤ送信要求信号を、周囲の鍵部１０３に対して発信する。
【００８４】
グループＩＤ送信要求信号を受信した鍵部１０３Ｙでは、グループＩＤ送信判断部５０２が、予め設定されている時間をタイマ５０１にセットする。予め設定されている時間が経過すると、タイマ５０１はグループＩＤ送信判断部５０２に対して予め設定されている時間が経過したことを通知する。通知を受けたグループＩＤ送信判断部５０２は、グループＩＤ送信タイミングが到来したことを判断し、グループＩＤ記憶部２０３に記憶されているグループＩＤを、グループＩＤを記憶していない鍵部１０３Ｘに対して送信するように指示する。指示を受けた通信部２０１は、グループＩＤ記憶部２０３に記憶されているグループＩＤを読み出して、鍵部１０３Ｘに対して送信する。
【００８５】
このようにグループＩＤを送信するまで一定時間をおくことにより、その間互いに通信可能領域内にいる鍵部１０３は、おそらく同一人物の持ち物だろうと判断することができるため、ここでは、予め設定されている時間経過後に送信する。
【００８６】
鍵部１０３Ｙでは、鍵部１０３Ｙから送信されたグループＩＤが、鍵部１０３Ｘ内の通信部２０１で受信され、鍵部１０３Ｙ内のグループＩＤ記憶部２０３に記憶される。
【００８７】
なお、本実施の形態では、鍵ＩＤ及びグループＩＤの錠制御部１０２への登録動作及び認証動作については第１の実施の形態と同様であるため、説明を省略する。
【００８８】
以上説明したように、本実施の形態では、グループＩＤが記憶されていない鍵部１０３Ｘはその旨（グループＩＤ送信要求信号）を周囲の鍵部１０３に対して送信し、該グループＩＤ送信要求信号を受信したグループＩＤが既に記憶されている鍵部１０３Ｙは、一定時間後に該鍵部１０３Ｙに記憶されているグループＩＤを鍵部１０３Ｘに対して送信するようにしたため、ユーザが人手によってグループＩＤを入力することなく、自動的にグループＩＤを鍵部１０３に付与することができ、利便性が向上する。
【００８９】
また、本実施の形態では、グループＩＤ送信要求信号を受信してから一定時間後にグループＩＤを送信するようにしたため、グループＩＤを記憶している鍵部１０３ＹとグループＩＤを記憶していない鍵部１０３Ｘを一定時間以上同じ場所に置いておくだけで、グループＩＤを記憶していない鍵部１０３Ｘへ自動的にグループＩＤを付与することができる。
【００９０】
また、グループＩＤ送信要求信号を受信してからを、グループＩＤを実際に付与するまで一定時間間をあけることにより、通りすがりの他人の鍵部１０３へグループＩＤを付与することを防ぐことができる。
【００９１】
なお、本実施の形態では、グループＩＤを記憶している鍵部１０３Ｙは、グループＩＤを記憶していない鍵部１０３Ｘに対し、グループＩＤ送信要求信号を受信してから一定時間経過後に、鍵部１０３Ｙが鍵部１０３ＸへグループＩＤを付与する例について説明したが、一定時間ごとに鍵部１０３ＸがグループＩＤ送信要求信号を周囲に送信し、鍵部１０３Ｙは該グループＩＤ送信要求信号を予め設定された回数以上受信した場合に、グループＩＤを送信すると判断して、鍵部１０３Ｘに対してグループＩＤを送信するようにしてもよい。
【００９２】
また、鍵部１０３に周囲の鍵部１０３との距離を測定する機能を設け、上記の一定時間経過後にグループＩＤを送信する、という本実施の形態の条件に加えて、離間距離が予め設定されている距離以下の鍵部１０３に対してのみ、グループＩＤを送信するようにしてもよい。
【００９３】
また、本実施の形態では、グループＩＤ送信要求信号を受信してから一定時間経過後にグループＩＤを送信する例について説明したが、グループＩＤ送信要求信号を受信してからグループＩＤを送信するまでの時間は、可変であっても良い。
【００９４】
また、本実施の形態では、すべての鍵部１０３がグループＩＤさえ記憶していれば、他の鍵部１０３へグループＩＤを送信することができる例について説明したが、一部の特別な鍵部１０３だけが他の鍵部１０３に対してグループＩＤを送信できるような構成とすることもできる。
【００９５】
更にまた、本実施の形態では、グループＩＤ記憶部２０３にグループＩＤが記憶されていない場合のみ、他の鍵部１０３からグループＩＤが付与される例について説明したが、グループＩＤ記憶部２０３記憶されているグループＩＤに寿命（有効期限）を設け、グループＩＤの寿命が来る度に、他の鍵部１０３からグループＩＤが付与されるようにすることもできる。これにより、一度グループＩＤを記憶した鍵部１０３に対しても、他のグループＩＤを付与することができる。
【００９６】
また、周囲の鍵部１０３のグループＩＤ記憶部２０３が全て空だった場合に、自分のグループＩＤとしてランダムに値を生成して、グループＩＤ記憶部２０３に記憶する機能を設けてもよい。このような構成により、全ての鍵部１０３がグループＩＤを記憶していない場合であっても、鍵部１０３をグループ化できる。
【００９７】
また、図６に示されるように、グループＩＤ管理部４０１内に、グループＩＤ記憶部２０３に記憶されたグループＩＤをユーザが自由に消去できるグループＩＤ消去部５０４を設けることもできる。ユーザが鍵部１０３に設けられた図示しないリセットスイッチを操作すると、該操作をトリガとして該グループＩＤ消去部５０４が動作し、グループＩＤ記憶部２０３に記憶されたグループＩＤを消去する。このような機能を鍵部１０３に設けることにより、ユーザが自由に鍵部１０３のグループ化を行うことができるようになる。
【００９８】
また、図６に示されたグループＩＤ消去部５０４が、定期的に周囲の鍵部１０３に記憶されているグループＩＤを確認し、周囲に自装置と同じグループＩＤの鍵部１０３が存在しないと判断した場合に、自装置に記憶されているグループＩＤを消去または変更する機能を有していてもよい。具体的には、通信部２０１を介して、定期的に周囲の鍵部１０３に対してグループＩＤ送信要求信号を送信し、周囲の鍵部１０３から受信したグループＩＤを、自装置のグループＩＤ記憶部２０３に記憶されたグループＩＤと比較する。比較の結果、周囲に自装置と同じグループＩＤの鍵部１０３が存在しないと判断した場合に、自装置のグループＩＤ記憶部２０３に記憶されているグループＩＤを消去または変更する。変更する場合には、グループＩＤをランダムに生成して、生成したグループＩＤをグループＩＤ記憶部２０３に上書きする。
【００９９】
このような構成によれば、鍵部１０３を落とした場合であっても、該鍵部１０３を認証作業に使用することができなくなり、落とした鍵部１０３が不正に用いられることを防止することができる。また、鍵部１０３の鍵ＩＤは記憶されたままであるので、すぐに再利用することができる。
【図面の簡単な説明】
【０１００】
【図１】第１の実施の形態に係る錠制御システムの構成を示すブロック図である。
【図２】第１の実施の形態に係る鍵部の構成を示すブロック図である。
【図３】鍵ＩＤ及びグループＩＤデータベース部に記憶されている鍵ＩＤ及びグループＩＤを示す図である。
【図４】第１の実施の形態に係る鍵部の構成を示すブロック図である。
【図５】グループＩＤ管理部の構成を示すブロック図である。
【図６】グループＩＤ管理部の構成の変形例を示す図である。
【符号の説明】
【０１０１】
１０１  錠部
１０２  錠制御部
１０３  鍵部
１０４  通信部
１０５  認証部
１０６  鍵ＩＤ及びグループＩＤデータベース部
１０７  鍵ＩＤ及びグループＩＤ登録部
１０８  錠操作部
２０１  通信部
２０２  鍵ＩＤ記憶部
２０３  グループＩＤ記憶部
５０１  タイマ
５０２  グループＩＤ送信判断部
５０３  グループＩＤ内容判定部
５０４  グループＩＤ消去部
【図１】
2005299261.tif 000003
【図２】
2005299261.tif 000004
【図３】
2005299261.tif 000005
【図４】
2005299261.tif 000006
【図５】
2005299261.tif 000007
【図６】
2005299261.tif 000008